(57)【特許請求の範囲】
【請求項１】
無線通信ネットワークにおいて新たな制御チャネルを定義するための方法であって、
レガシーネットワーク規格による汎用データ通信のために無線通信リソースの第１の部分を確保すること、
異種のネットワーク規格に従って制御データを通信するために無線通信リソースの前記第１の部分のサブセットを割り当てること、なお、前記異種のネットワーク規格は、前記レガシーネットワーク規格に対して新規且つ異種のネットワーク規格である、および
無線通信リソースの前記第１の部分の前記サブセットを介して制御データを送信すること
を備え、
前記レガシーネットワーク規格による汎用データ通信のために無線通信リソースの前記第１の部分を確保することは、前記レガシーネットワーク規格に従って制御データを通信するために前記第１の部分と異なる前記無線通信リソースの第２の部分を確保することから示され、さらに、前記レガシーネットワーク規格に従って基準信号を通信するために前記第１の部分と異なる前記無線通信リソースの第３の部分を確保することから示される、方法。
【請求項２】
前記レガシーネットワーク規格は、第３世代パートナーシッププロジェクト（３ＧＰＰ）ロングタームエボリューション（ＬＴＥ）に相当し、さらに前記第１の部分は、少なくとも１つのサブフレーム内の少なくとも１つの確保されたリソースブロックを備える請求項１に記載の方法。
【請求項３】
前記無線通信リソースの前記第２の部分を介してレガシー制御データを受信することをさらに備え、無線通信リソースの前記第１の部分の前記サブセットを介して制御データを送信することは、前記サブセットを介して前記レガシー制御データを送信することを含む請求項１に記載の方法。
【請求項４】
無線通信リソースの前記第１の部分の前記サブセット以外のリソースを介して移動デバイスからの汎用データ通信をスケジュールすることをさらに備える請求項１に記載の方法。
【請求項５】
無線通信リソースの前記第１の部分の前記サブセットは、グローバル制御セグメント定義に従って割り当てられる請求項１に記載の方法。
【請求項６】
無線通信リソースの前記第１の部分の前記サブセットを介して制御データを送信することは、前記制御データを、前記サブセットを介してビーコン信号として送信することを含む請求項１に記載の方法。
【請求項７】
無線通信リソースの前記第１の部分の前記サブセットを介して制御データを送信することは、アクセスポイントの識別子の少なくとも一部分に基づいて選択された前記サブセットの中の位置で前記制御データを送信することを含む請求項１に記載の方法。
【請求項８】
前記送信される制御データは、リソース割当て、ＡＣＫ／ＮＡＣＫ情報、またはインターフェース管理情報を含む請求項１に記載の方法。
【請求項９】
少なくとも１つのコンピュータに、レガシーネットワーク規格による汎用データ通信のために無線通信リソースの第１の部分を確保させるためのコードと、
前記少なくとも１つのコンピュータに、異種のネットワーク規格に従って制御データを通信するために無線通信リソースの前記第１の部分のサブセットを割り当てさせるためのコードと、なお、前記異種のネットワーク規格は、前記レガシーネットワーク規格に対して新規且つ異種のネットワーク規格である、
前記少なくとも１つのコンピュータに、無線通信リソースの前記第１の部分の前記サブセットを介して制御データを送信させるためのコードと、
を備え、
汎用データ通信のために無線通信リソースの前記第１の部分を確保することは、前記レガシーネットワーク規格に従って制御データを通信するために前記第１の部分と異なる前記無線通信リソースの第２の部分を確保することから示され、前記レガシーネットワーク規格に従って基準信号を通信するために前記第１の部分と異なる前記無線通信リソースの第３の部分を確保することからさらに示されるコンピュータプログラム。
【請求項１０】
前記レガシーネットワーク規格は、第３世代パートナーシッププロジェクト（３ＧＰＰ）ロングタームエボリューション（ＬＴＥ）に相当し、さらに前記第１の部分は、少なくとも１つのサブフレーム内の少なくとも１つの確保されたリソースブロックを備える請求項９に記載のコンピュータプログラム。
【請求項１１】
前記コンピュータプログラムは、前記少なくとも１つのコンピュータに、前記無線通信リソースの前記第２の部分を介してレガシー制御データを受信させるためのコードをさらに備え、無線通信リソースの前記第１の部分の前記サブセットを介して制御データを送信することは、前記サブセットを介して前記レガシー制御データを送信することを含む請求項９に記載のコンピュータプログラム。
【発明の詳細な説明】
【技術分野】
【０００１】
相互参照
本出願は、参照により全体が本明細書に組み込まれている２００８年４月７日に出願した、「ＳＹＳＴＥＭＳ  ＡＮＤ  ＭＥＴＨＯＤＳ  ＴＯ  ＤＥＦＩＮＥ  ＣＯＮＴＲＯＬ  ＣＨＡＮＮＥＬＳ  ＵＳＩＮＧ  ＲＥＳＥＲＶＥＤ  ＲＥＳＯＵＲＣＥ  ＢＬＯＣＫＳ」という名称の米国特許仮出願第６１／０４３，１０６号の利益を主張する。
【０００２】
本開示は、一般に、無線通信に関し、より具体的には、制御チャネルを定義して、利用することに関する。
【背景技術】
【０００３】
無線通信システムは、例えば、音声、データなどの様々なタイプの通信コンテンツを提供するように広く展開されている。通常の無線通信システムは、利用可能なシステムリソース（例えば、帯域幅、送信電力など）を共有することによって、複数のユーザとの通信をサポートすることができる多元接続システムであることが可能である。そのような多元接続システムの例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システムなどが含まれることが可能である。さらに、システムは、第３世代パートナーシッププロジェクト（３ＧＰＰ）、３ＧＰＰ  ロングタームエボリューション（Long Term Evolution）（ＬＴＥ）、ウルトラモバイルブロードバンド（Ultra Mobile Broadband）（ＵＭＢ）などの規格に準拠することが可能である。
【０００４】
一般に、無線多元接続通信システムは、複数の移動デバイスのための通信を同時にサポートすることができる。各移動デバイスは、順方向リンク上、および逆方向リンク上の伝送を介して１つまたは複数の基地局と通信することができる。順方向リンク（またはダウンリンク）とは、基地局から移動デバイスに至る通信リンクを指し、逆方向リンク（またはアップリンク）とは、移動デバイスから基地局に至る通信リンクを指す。さらに、移動デバイスと基地局の間の通信は、単入力単出力（ＳＩＳＯ）システム、多入力単出力（ＭＩＳＯ）システム、多入力多出力（ＭＩＭＯ）システムなどを介して確立されることが可能である。さらに、ピアツーピア無線ネットワーク構成において、移動デバイスは、他の移動デバイスと通信することができる（さらに／または基地局は、他の基地局と通信することができる）。
【０００５】
さらに、基地局と移動デバイスは、アップリンクリソースおよび／またはダウンリンクリソースを介して通信品質と関係する制御データ（例えば、チャネル品質、ＳＮ比、肯定応答標識など）を交換することができる。例えば、アップリンクおよび／またはダウンリンクは、いくつかの直交周波数分割多重化（ＯＦＤＭ）シンボルなどの、所与の期間にわたる周波数の複数の部分に分割されることが可能である。フレームまたはサブフレームなどの、或る所与の期間内の周波数の１つまたは複数の部分が、制御データ通信のために確保されることが可能である。また、その所与のフレーム／サブフレーム内の周波数の異なる１つまたは複数の部分が、基準信号または他の信号を送信するために確保されることも可能である。フレーム／サブフレーム内の周波数の残りの部分は、データ通信に割り当てられることが可能である。関連するフレーム／サブフレームフォーマッティングは、基地局および移動デバイスによって知られることが可能であり、したがって、移動デバイスは、制御データのために確保された部分を介して基地局から制御データを受信することを予期することができ、さらに基地局が、残りの部分の一部を汎用アップリンクデータ通信に割り当てることを予期することができる。さらに、いくつかの基地局およびデバイスが、制御データ、基準信号などを送信するために同一の時間部分にわたって周波数の同一の部分を利用するので、これらの部分は、様々な基地局送信およびデバイス送信からの高い干渉を示すことが可能である。
【発明の概要】
【０００６】
以下に、主張される主題の様々な態様の簡略化された概要を、そのような態様の基本的な理解をもたらすために提示する。この概要は、企図されるすべての態様の広範な概観ではなく、重要な要素もしくは不可欠な要素を特定することも、そのような態様の範囲を線引きすることも意図していない。この概要の唯一の目的は、後段で提示されるより詳細な説明の前置きとして、開示される態様のいくつかの概念を簡略化された形態で提示することである。
【０００７】
１つまたは複数の実施形態、およびそれらの対応する開示によれば、無線ネットワークにおいてデータを通信するために割り当てられた時間にわたる周波数の複数の部分において制御データリソースを定義することを円滑にすることに関連して、様々な態様が説明される。例えば、時間にわたる周波数の複数の部分が、制御データ、および／または基準信号などの他の信号を送信するために確保されることが可能であり、残りの部分は、汎用データ通信のために利用されることが可能である。制御データリソースは、無線ネットワークにおけるレガシーデバイスのための現在の制御リソースを乱さないように、汎用データ通信部分を介して定義されて、いくつかのデバイスによって利用されることが可能である。さらに、制御データを送信するために既に確保されている部分は、無線ネットワークにおけるレガシーデバイスが、それらの部分を介して非常に支配的な干渉を示す可能性が高いので、回避されることが可能である。さらに、本明細書で説明されるとおり、制御リソースブランキング技術、制御データビーコン技術、および／または周波数再使用技術などの技術が、干渉を軽減するために、新たに定義された制御データリソースを介して利用されることが可能である。
【０００８】
関連する態様によれば、無線通信ネットワークにおいて新たな制御チャネルを定義するための方法が提供される。この方法は、レガシーネットワーク規格による汎用データ通信のために無線通信リソースの一部分を確保することを含むことが可能である。また、この方法は、異なるネットワーク規格に従って制御データを通信するために無線通信リソースの、その部分のサブセットを割り当てること、および無線通信リソースの、その部分の、そのサブセットを介して制御データを送信することを含むことも可能である。
【０００９】
別の態様は、無線通信装置に関する。無線通信装置は、レガシーネットワーク規格に少なくとも部分的に基づいて、データ通信のための無線通信リソースの一部分を定義するように構成された少なくとも１つのプロセッサを含むことが可能である。このプロセッサは、制御データを通信するために無線通信リソースの、その部分のサブセットを確保し、そのサブセットを介して制御データを送信するようにさらに構成される。また、無線通信装置は、この少なくとも１つのプロセッサに結合されたメモリも備える。
【００１０】
さらに別の態様は、レガシー無線ネットワークを介して新たな制御チャネルを定義することを円滑にする無線通信装置に関する。この無線通信装置は、レガシーネットワーク規格によるデータ通信のために無線通信リソースの一部分をグループ化するための手段を備えることが可能である。この無線通信装置は、制御データを通信するために無線通信リソースの、その確保された部分のサブセットを割り当てるための手段と、リソースの、そのサブセットを介して制御データを送信するための手段とをさらに含むことが可能である。
【００１１】
さらに別の態様は、少なくとも１つのコンピュータに、レガシーネットワーク規格による汎用データ通信のために無線通信リソースの一部分を確保させるためのコードを含むコンピュータ可読媒体を有することが可能な、コンピュータプログラム製品に関する。また、このコンピュータ可読媒体は、その少なくとも１つのコンピュータに、異なるネットワーク規格に従って制御データを通信するために無線通信リソースの、その部分のサブセットを割り当てさせるためのコードと、その少なくとも１つのコンピュータに、無線通信リソースの、その部分の、そのサブセットを介して制御データを送信させるためのコードとを備えることも可能である。
【００１２】
さらに、さらなる態様は、装置に関する。この装置は、レガシーネットワーク規格による汎用データ通信のために無線通信リソースの一部分を割り当てるレガシー規格構成要素を含むことが可能である。この装置は、制御データを送信するために無線通信リソースの、その部分のサブセットを定義する新規制御データ構成要素と、そのサブセットを介して制御データを送信する送信機構成要素とをさらに含むことが可能である。
【００１３】
さらなる態様によれば、無線通信ネットワークにおいて新たな制御チャネルを介して制御データを受信するための方法が提供される。この方法は、レガシーネットワーク規格の汎用データ通信リソース内で定義された制御データリソースのセットを介して制御データを受信することを含むことが可能である。この方法は、その制御データを復号して、アクセスポイントと通信することを円滑にすることをさらに含む。
【００１４】
別の態様は、無線通信装置に関する。この無線通信装置は、レガシーネットワークにおける汎用データ通信に割り当てられた無線通信リソースの一部分を介して制御データリソースのセットを定義し、さらにその制御データリソースを介してアクセスポイントから制御データを受信するように構成された少なくとも１つのプロセッサを含むことが可能である。このプロセッサは、その制御データを復号して、アクセスポイントからの汎用データリソース割当てを特定するようにさらに構成される。また、この無線通信装置は、この少なくとも１つのプロセッサに結合されたメモリも備える。
【００１５】
さらに別の態様は、新たに定義された制御チャネルを介して制御データを受信することを円滑にする無線通信装置に関する。この無線通信装置は、レガシーネットワークにおけるデータ通信のために確保された無線通信リソースの一部分から制御データリソースのセットを割り当てるための手段を備えることが可能である。この無線通信装置は、制御データリソースの、このセットを介してアクセスポイントから制御データを受信するための手段をさらに含むことが可能である。
【００１６】
さらに別の態様は、少なくとも１つのコンピュータに、レガシーネットワーク規格の汎用データ通信リソース内で定義された制御データリソースのセットを介して制御データを受信させるためのコードを含むコンピュータ可読媒体を有することが可能である、コンピュータプログラム製品に関する。また、このコンピュータ可読媒体は、その少なくとも１つのコンピュータに、その制御データを復号させて、アクセスポイントとの通信を円滑にさせるためのコードも備えることが可能である。
【００１７】
さらに、さらなる態様は、装置に関する。この装置は、レガシーネットワークにおけるデータ通信のために確保された無線通信リソースの一部分からの制御データリソースのセットを割り当てる新規システム規格構成要素を含むことが可能である。この装置は、制御データリソースの、そのセットを介してアクセスポイントから制御データを受信する受信機構成要素をさらに含むことが可能である。
【００１８】
以上、および関連する目的を達するため、１つまたは複数の実施形態は、後段で完全に説明され、特許請求の範囲において特に指摘される特徴を備える。以下の説明、および添付の説明は、その１つまたは複数の実施形態の、いくつかの例示的な態様を詳細に示す。しかし、これらの態様は、様々な実施形態の原理が使用され得る様々な仕方のいくつかだけを示すに過ぎず、説明される実施形態は、すべてのそのような態様、および均等の態様を含むことが意図されている。
【図面の簡単な説明】
【００１９】
【図１】無線ネットワークにおいて新たな制御リソースを定義して、利用するためのシステムを示すブロック図。
【図２】無線通信環境内で使用するための例示的な通信装置を示す図。
【図３】新たに定義された制御データリソースを利用することを実行する例示的な無線通信ネットワークを示す図。
【図４】新たな制御データリソースを利用して、中継機能を円滑にする例示的な無線通信システムを示す図。
【図５】新規グローバル制御セグメントが定義された例示的な帯域幅を示す図。
【図６】新たな制御データがビーコン信号を使用して送信される例示的な帯域幅を示す図。
【図７】新たな制御データが再使用スキームに従って送信される例示的な帯域幅を示す図。
【図８】新たな制御データリソースを定義して、利用することを円滑にする例示的な方法を示す流れ図。
【図９】新たに定義された制御データリソースを介して制御データを受信する例示的な方法を示す流れ図。
【図１０】レガシー無線ネットワークを介して制御データリソースを割り当てる例示的な装置を示すブロック図。
【図１１】レガシー無線ネットワークにおいて新たな制御リソースを介して制御データを受信することを円滑にする例示的な装置を示すブロック図。
【図１２】本明細書で説明される機能の様々な態様を実施するのに利用されることが可能である例示的な無線通信デバイスを示すブロック図。
【図１３】本明細書で説明される機能の様々な態様を実施するのに利用されることが可能である例示的な無線通信デバイスを示すブロック図。
【図１４】本明細書で説明される様々な態様による例示的な無線多元接続通信システムを示す図。
【図１５】本明細書で説明される様々な態様が機能することが可能である例示的な無線通信システムを示すブロック図。
【図１６】本明細書で説明される様々な態様をサポートし、利用することが可能な無線通信ネットワークを示す図。
【発明を実施するための形態】
【００２０】
次に、主張される主題の様々な態様を、すべての図面において同様の要素を指すのに同様の符号が使用される、図面を参照して説明する。以下の説明において、説明の目的で、１つまたは複数の態様の完全な理解をもたらすために、多数の特定の詳細が示される。しかし、そのような態様は、これらの特定の詳細なしに実施されることも可能であることが、明白であり得る。その他、よく知られた構造およびデバイスは、１つまたは複数の態様を説明することを円滑にするためにブロック図形態で示される。
【００２１】
本出願において使用される、「構成要素」、「モジュール」、「システム」などの用語は、ハードウェア、ファームウェア、ハードウェアとソフトウェアの組合せ、ソフトウェア、または実行中のソフトウェアである、コンピュータ関連のエンティティを指すことを意図している。例えば、構成要素は、プロセッサ上で実行されているプロセス、集積回路、オブジェクト、実行可能ファイル、実行のスレッド、プログラム、および／またはコンピュータであることが可能であるが、以上には限定されない。例として、コンピューティングデバイス上で実行されているアプリケーションと、そのコンピューティングデバイスがともに、構成要素であり得る。１つまたは複数の構成要素が、プロセス内、および／または実行のスレッド内に存在することが可能であり、構成要素は、１つのコンピュータ上に局所化されること、および／または２つ以上のコンピュータの間に分散されることが可能である。さらに、これらの構成要素は、様々なデータ構造を格納している様々なコンピュータ可読媒体から実行されることが可能である。これらの構成要素は、１つまたは複数のデータパケットを有する信号に従うなどして（例えば、１つの構成要素からのデータが、信号によって、ローカルシステムにおける別の構成要素と、分散システムにおける別の構成要素と、さらに／またはインターネットなどのネットワークを介して他のシステムと対話して）、ローカルプロセスおよび／または遠隔プロセスを介して通信することができる。
【００２２】
さらに、様々な態様が、無線端末装置および／または基地局に関連して本明細書で説明される。無線端末装置は、ユーザに音声接続および／またはデータ接続を提供するデバイスを指すことが可能である。無線端末装置は、ラップトップコンピュータもしくはデスクトップコンピュータなどのコンピューティングデバイスに接続されることが可能であり、あるいは携帯情報端末（ＰＤＡ）などの自己完結型のデバイスであることが可能である。無線端末装置は、システム、加入者ユニット、加入者局、移動局、移動体、遠隔局、アクセスポイント、遠隔端末装置、アクセス端末装置、ユーザ端末装置、ユーザエージェント、ユーザデバイス、またはユーザ機器（ＵＥ）と呼ばれることも可能である。無線端末装置は、加入者局、無線デバイス、セルラ電話機、ＰＣＳ電話機、コードレス電話機、セッション開始プロトコル（ＳＩＰ）電話機、無線ローカルループ（ＷＬＬ）局、携帯情報端末（ＰＤＡ）、無線接続能力を有するハンドヘルドデバイス、または無線モデムに接続された他の処理デバイスであることが可能である。基地局（例えば、アクセスポイントまたは進化型ノードＢ（ｅＮＢ））とは、無線インターフェースを介して、１つまたは複数のセクタを通して無線端末装置と通信するアクセスネットワークにおけるデバイスを指すことが可能である。基地局は、受信された無線インターフェースフレームをインターネットプロトコル（ＩＰ）パケットに変換することによって、無線端末装置と、ＩＰネットワークを含むことが可能なアクセスネットワークの残りの部分との間でルータの役割をすることができる。また、基地局は、無線インターフェースに関する属性の管理を調整する。
【００２３】
さらに、本明細書で説明される様々な機能は、ハードウェアで、ソフトウェアで、ファームウェアで、または以上の任意の組合せで実施されることが可能である。ソフトウェアで実施される場合、これらの機能は、１つまたは複数の命令もしくはコードとしてコンピュータ可読媒体上に格納される、またはコンピュータ可読媒体を介して伝送されることが可能である。コンピュータ可読媒体は、１つの場所から別の場所にコンピュータプログラムを移すことを円滑にする任意の媒体を含む、コンピュータ記憶媒体と通信媒体の両方を含む。記憶媒体は、コンピュータによってアクセスされ得る任意の利用可能な媒体であることが可能である。例として、限定としてではなく、そのようなコンピュータ可読媒体は、ＲＡＭ、ＲＯＭ、ＥＥＰＲＯＭ、ＣＤ−ＲＯＭもしくは他の光ディスクストレージ、磁気ディスクストレージもしくは他の磁気ストレージデバイス、または命令もしくはデータ構造の形態で所望されるプログラムコードを伝送する、もしくは格納するのに使用されることが可能であり、さらにコンピュータによってアクセスされることが可能な他の任意の媒体を備えることが可能である。また、任意の接続が、コンピュータ可読媒体と適切に呼ばれる。例えば、ソフトウェアが、同軸ケーブル、光ファイバケーブル、より対線、ディジタル加入者線（ＤＳＬ）、または赤外線、電波、およびマイクロ波などの無線技術を使用してウェブサイト、サーバ、または他の遠隔ソースから送信される場合、その同軸ケーブル、光ファイバケーブル、より対線、ＤＳＬ、または赤外線、電波、およびマイクロ波などの無線技術が、媒体の定義に含められる。本明細書で使用されるディスク（disk）およびディスク（disc）には、コンパクトディスク（disc）（ＣＤ）、レーザディスク（disc）、光ディスク（disc）、ディジタルバーサタイルディスク（disc）（ＤＶＤ）、フロッピー（登録商標）ディスク（disk）、およびブルーレイディスク（disc）（ＢＤ）が含まれ、ただし、ディスク（disk）は、通常、データを磁気的に再現し、ディスク（disc）は、レーザを使用してデータを光学的に再現する。また、以上の媒体の組合せも、コンピュータ可読媒体の範囲に含められなければならない。
【００２４】
本明細書で説明される様々な技術は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリアＦＤＭＡ（ＳＣ−ＦＤＭＡ）システム、および他のそのようなシステムなどの、様々な無線通信システムのために使用されることが可能である。「システム」という用語と「ネットワーク」という用語は、本明細書では、しばしば、互換的に使用される。ＣＤＭＡシステムは、ユニバーサル地上無線アクセス（ＵＴＲＡ）、ＣＤＭＡ２０００などの無線技術を実施することが可能である。ＵＴＲＡは、広帯域ＣＤＭＡ（Ｗ−ＣＤＭＡ）、およびＣＤＭＡの他の変種を含む。さらに、ＣＤＭＡ２０００は、ＩＳ−２０００標準、ＩＳ−９５標準、およびＩＳ−８５６標準を範囲に含む。ＴＤＭＡシステムは、グローバルシステムフォーモバイルコミュニケーションズ（Global System for Mobile Communications）（ＧＳＭ（登録商標））などの無線技術を実施することが可能である。ＯＦＤＭＡシステムは、進化型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などの無線技術を実施することが可能である。ＵＴＲＡおよびＥ−ＵＴＲＡは、ユニバーサル移動体通信システム（ＵＭＴＳ）の一部である。３ＧＰＰ  ロングタームエボリューション（Long Term Evolution）（ＬＴＥ）が、ダウンリンク上でＯＦＤＭＡを用い、アップリンク上でＳＣ−ＦＤＭＡを用いる、Ｅ−ＵＴＲＡを使用する、来るべきリリースである。ＵＴＲＡ、Ｅ−ＵＴＲＡ、ＵＭＴＳ、ＬＴＥ、およびＧＳＭは、「第３世代パートナーシッププロジェクト」（３ＧＰＰ）という名称の組織からの文書において説明されている。さらに、ＣＤＭＡ２０００およびＵＭＢは、「第３世代パートナーシッププロジェクト２」（３ＧＰＰ２）という名称の組織からの文書において説明されている。
【００２５】
様々な態様が、いくつかのデバイス、構成要素、モジュールなどを含むことが可能なシステムに関して提示される。これらの様々なシステムは、追加のデバイス、構成要素、モジュールなどを含むことが可能であり、さらに／または図に関連して説明されるデバイス、構成要素、モジュールなどのすべてを含むわけではない可能性があることを理解し、認識されたい。また、これらのアプローチの組合せが、使用されることも可能である。
【００２６】
次に図面を参照すると、図１は、汎用データ通信のために使用される帯域幅にわたって制御データリソースを定義して利用することを円滑にする無線ネットワーク１００の一例を示す。詳細には、アクセスポイント１０４と通信して、無線ネットワークへのアクセスを受け取るアクセス端末装置１０２が示されている。同様に、レガシーアクセスポイント１０８と通信して、異なる無線ネットワーク、もしくは同一の無線ネットワークへのアクセスを受け取るレガシーアクセス端末装置１０６が示されている。図示されるとおり、アクセス端末装置１０２が、さらに、または代替として、レガシーアクセスポイント１０８と通信することが可能であるとともに、レガシーアクセス端末装置１０６が、アクセスポイント１０４と通信することが可能である。アクセスポイント１０４およびレガシーアクセスポイント１０８は、基地局、移動デバイス、移動基地局、フェムトセル、中継器、および／または無線ネットワークへのアクセスをもたらす実質的に任意の構成要素であることが可能であることを認識されたい。一例において、レガシーアクセス端末装置１０６およびレガシーアクセスポイント１０８は、１つまたは複数の規格に従って無線ネットワーク１００において通信することに関する情報を備えていることが可能である。
【００２７】
例えば、無線ネットワーク１００は、ＯＦＤＭ技術を利用して、通信リソースを管理することが可能である。さらに、無線ネットワーク１００は、或る期間にわたる周波数の複数の部分（例えば、トーンの集まり）であることが可能なＯＦＤＭシンボルを、異なるタイプの通信のために分割することが可能である。一例において、無線ネットワーク１００は、ＯＦＤＭシンボルの集まりであることが可能な通信フレームを定義する規格に従って動作することが可能である。或る規格によれば、所与のフレーム内のいくつかのＯＦＤＭシンボル、またはそれらのＯＦＤＭシンボルのいくつかの部分が、いくつかの用途のために確保されることが可能である。例えば、１つまたは複数のＯＦＤＭシンボルの一部分が、制御データ通信（例えば、割当てメッセージ、リソースのセットを介した通信の品質に関するデータなど）、基準信号通信（例えば、ビーコン、またはアクセスポイントによって送信される送信元を識別する信号など）および／または以上に類する通信のために確保されることが可能である。フレーム内の残りの部分は、汎用データ通信のために利用されることが可能である。このため、例えば、レガシーアクセス端末装置１０６およびレガシーアクセスポイント１０８は、或るレガシー規格に従って通信して、その１つまたは複数のＯＦＤＭシンボルの適切な部分をレガシー制御データ、基準信号などのために確保することが可能である。これに関して、レガシーアクセスポイント１０８は、残りのリソースの少なくとも一部分を汎用データ通信のために定義することが可能であり、さらにこれらのリソースのセットをレガシーアクセス端末装置１０６に割り当てて、端末装置１０６との汎用データ通信を円滑にすることが可能である。
【００２８】
アクセス端末装置１０２およびアクセスポイント１０４は、一例では、新たな規格を使用して通信することが可能である。この新たな規格は、レガシー規格と同様の多くのパラメータ（例えば、ＯＦＤＭシンボルの同様の定義、サブフレームフォーマットなど）を利用することが可能であるが、或る例では、この新たな規格は、アクセス端末装置１０２およびアクセスポイント１０４によって利用されることが可能である新たな制御データリソースを定義することが可能である。この新たな規格によれば、例えば、アクセス端末装置１０２およびアクセスポイント１０４は、レガシー規格において汎用データ通信リソースとして指定された（またはそのようなものとして消極的に暗示される）リソースの複数の部分にわたって新たな制御データリソースを定義することが可能である。これに関して、アクセス端末装置１０２およびアクセスポイント１０４によって利用される、これらの新たな制御データリソースは、レガシー規格によって定義されたレガシー制御データリソース、基準信号リソース、および／または以上に類するリソースと干渉しない。
【００２９】
これらの新たな制御データリソースを定義するレガシーデータチャネルリソースを利用することにより、アクセスポイント１０４は、レガシー制御データリソースを介してレガシー制御データを送信し続けることによって、レガシーアクセス端末装置１０６との通信をそれでも、さらにサポートすることが可能である。この例において、干渉を軽減するのに、アクセスポイント１０４は、これらの新たな制御データリソースと競合するレガシーアクセス端末装置１０６に汎用データ通信リソースをスケジュールすることを、これらの新たな制御データリソースが以前にレガシー規格においてそのようなデータに定義されていたものの、回避することが可能である。同様に、レガシーアクセスポイント１０８は、一例において、レガシー規格を使用して、アクセス端末装置１０２とのレガシー通信をさらにサポートすることが可能である。これに関して、新たな規格は、レガシー規格を依然としてサポートしながら、制御データリソース上、基準信号リソース上、および／または以上に類するリソース上などの、レガシーシステムにおける高トラヒックのリソース上で大きな干渉を生じさせることなしにまたは受けることなしに、レガシー規格を使用してネットワークを介して動作することが可能である。
【００３０】
次に図２を参照すると、無線通信ネットワークに参加することが可能な通信装置２００が示されている。通信装置２００は、基地局、移動デバイス、または基地局もしくは移動デバイスの一部分、または無線ネットワークへのアクセスをもたらすことが可能な実質的に任意のデバイスであることが可能である。通信装置２００は、無線ネットワークにおいて通信するための１つまたは複数のパラメータを定義する規格を受け取るレガシー規格構成要素２０２と、無線ネットワークを介して通信するための新たな制御データリソースを指定することが可能な新規制御データ構成要素２０２と、通信装置２００と通信するために無線ネットワークにおけるデバイスにリソースを割り当てることが可能なリソース割当て構成要素２０６とを含むことが可能である。
【００３１】
或る例によれば、レガシー規格構成要素２０２は、通信装置２００が参加する無線ネットワークと関係する１つまたは複数の通信パラメータを獲得することが可能である。通信パラメータは、ＯＦＤＭシンボル情報（例えば、周波数範囲、シンボルに関する期間など）、無線フレーム／サブフレームフォーマット、および／または以上に類するパラメータなどの、通信の様々な態様を定義することが可能である。さらに、通信パラメータは、制御データ、汎用データ、基準信号、および／または以上に類するデータを送信するために利用されるフレーム／サブフレーム内のＯＦＤＭシンボルの複数の部分などの、リソース使用情報を定義することが可能である。このため、通信装置２００は、制御データのために確保された、指定されたリソースを介して制御データを送信すること、基準信号データのために確保された、指定されたリソースを介して基準信号を送信すること、および残りのリソースを介して汎用データを送信することを含め、それらのパラメータに従ってデータを送信することが可能である。レガシー規格構成要素２０２によって受け取られる通信パラメータは、ハードコーディングされること、構成ファイルの中で指定されること、１つまたは複数のネットワークデバイスから受信されること、および／または以上に類する仕方で受け取られることが可能であることを認識されたい。
【００３２】
一例において、リソース割当て構成要素２０６が、アクセス端末装置（図示せず）と通信するためのリソースをスケジュールすることが可能である。割当て構成要素２０６は、一例では、複数の通信装置によって共通で定義され、使用されることが可能であるために、高い干渉を示す可能性が高い、定義された制御データリソース、基準信号リソースなどに干渉しないように、アクセス端末装置との汎用データ通信に残りのリソースの一部分を割り当てることが可能である。汎用データ通信のためのリソースは、別段、確保されていない、さらに／またはレガシー規格構成要素２０２によって受け取られる情報の中で明示的に定義されていないリソースとして消極的に暗示されることが可能であることを認識されたい。
【００３３】
さらに、新規制御データ構成要素２０４は、異なるアクセス端末装置（図示せず）と通信する際に使用するための新たな制御データリソースを定義することが可能である。一例において、これらの新たな制御データリソースは、説明されるとおり、新たなシステム規格と関係することが可能である。新規制御データ構成要素２０４は、その新たなシステム規格と関係する情報を同様に受け取ることが可能である（ハードコーディングから、構成ファイルから、１つまたは複数のネットワークデバイスから、さらに／または以上に類する仕方で）。前述したとおり、ＯＦＤＭ構成、フレーム／サブフレーム利用などの多くの態様は、レガシー規格と同様であることが可能である一方で、サブフレームフォーマッティング、制御データリソース、および／またはその他のリソース割当ては、異なることが可能である。これに関して、新規制御データ構成要素２０４は、レガシー規格構成要素２０２によって汎用データ通信のために以前に定義されていたリソースを使用して、新たなシステム規格に従って新たな制御データを定義することが可能である。このことは、通信装置２００が、レガシー制御データ、基準信号などを送信し、サポートすることを許しながら、レガシー制御データ、基準信号などに干渉しないようにレガシーシステムにおいて汎用データ通信のために確保されたリソースの中で新たな制御データリソースをさらに提供することを可能にする。
【００３４】
また、リソース割当て構成要素２０６が、制御データを送信するために新規制御データ構成要素２０４によって確保されたリソースを介して汎用データ通信リソースを割り当てることを回避することも可能である。このことは、リソース割当て構成要素２０６がレガシーアクセス端末装置にリソースを割り当てている場合でさえ、そのように行われることが可能である。このため、通信装置２００からの干渉は、それらの新たな制御データリソース上で軽減されることが可能である。このことは、通信装置２００が、新たな制御データリソース定義をサポートする別のアクセスポイントに地理的に近い場合に有益であることも可能であり、したがって、その異種のアクセスポイントが、新たな制御データのために確保されたリソース上でレガシーデバイスに汎用データリソースをスケジュールすることを回避することも可能である。これに関して、グローバル制御セグメントは、複数の通信装置によって定義されることが可能であり、ただし、これらの装置はすべて、新たな制御データを送信するためにグローバルセグメントを使用し、さらに制御データを送信していない場合、グローバルセグメント上で伝送を沈黙させる。後段で説明されるとおり、新規制御データ構成要素２０４は、ビーコンベースの制御データ伝送、グローバルセグメント上のブランキング、再使用技術、および／または以上に類するスキームなどの、さらなる干渉抑圧スキームに従って制御データリソースを定義し、さらに／または利用することができることを認識されたい。さらに、一例において、新規制御データ構成要素２０４は、レガシー制御データリソースを利用することによって、新たな制御データリソースについて１つまたは複数の無線デバイスに通知することが可能である。
【００３５】
次に図３を参照すると、示されているのは、無線ネットワークにおいて複数の規格に従って通信することを円滑にする無線通信システム３００である。無線デバイス３０２および３０４および／またはアクセスポイント３０６は、移動デバイス（独立した電源を有するデバイスだけでなく、例えば、モデムも含む）、基地局、および／または基地局の一部であることが可能である。一例において、無線デバイス３０２および３０４は、デバイス３０２とデバイス３０４が同様のタイプである場合に、ピアツーピア技術またはアドホック技術を使用して通信することが可能である。さらに、システム３００は、ＭＩＭＯシステムであることが可能であり、さらに／または１つまたは複数の無線ネットワークシステム規格（例えば、ＥＶ−ＤＯ、３ＧＰＰ、３ＧＰＰ２、３ＧＰＰ  ＬＴＥ、ＷｉＭＡＸなど）に準拠することが可能である。また、無線デバイス３０２内および無線デバイス３０４内に示され、後段で説明される構成要素および機能は、一例では、互いの内部、および／または無線デバイス３０６内に存在すること、ならびに無線デバイス３０６内に存在する構成要素および機能が、無線デバイス３０２内および無線デバイス３０４内に存在することが可能であり、図示される構成は、説明を容易にするために、これらの構成要素を除外している。
【００３６】
無線デバイス３０２は、無線ネットワークにおいてアクセスポイントから通信を獲得する受信機構成要素３０８と、無線ネットワークにおいて通信することと関係する規格における１つまたは複数のパラメータを定義することが可能なレガシー規格構成要素３１０とを含むことが可能である。一例において、説明されるとおり、レガシー規格構成要素は、ハードコーディングに基づいて、ファイルから受け取られた構成データに基づいて、異なるネットワーク構成要素に基づいて、またはそれ以外で、さらに／または以上に類する仕方で、これらのパラメータを定義することが可能である。同様に、無線デバイス３０４は、無線ネットワークにおいてアクセスポイントから通信を獲得する受信機構成要素３１２と、無線ネットワークを介して通信する際に利用されることが可能である新たな規格の１つまたは複数のパラメータを定義する新規システム規格構成要素３１４とを備えることが可能である。
【００３７】
アクセスポイント３０６は、ハードコーディングから、ファイルから受け取られた構成データから、異なるネットワーク構成要素から、またはそれ以外で受け取られるとおりに、さらに／または以上に類する仕方で、無線ネットワークを介して通信するための１つまたは複数のパラメータを指定する、無線デバイス３０２のレガシー規格構成要素３１０と同様であることが可能なレガシー規格構成要素２０２を含むことが可能である。また、アクセスポイント３０６は、汎用データリソース上で新たなシステムのための制御データを定義することが可能な新規制御データ構成要素２０４と、１つまたは複数の無線デバイスに通信リソースを割り当てるリソース割当て構成要素２０６と、無線ネットワークを介して制御データ、リソース割当て、基準信号、および／または以上に類するデータを送信することが可能な送信機構成要素３１６を含むことも可能である。
【００３８】
或る例によれば、レガシー規格構成要素２０２は、無線ネットワークにおいて通信するためのパラメータを受信することが可能である。例えば、これらのパラメータは、説明されるとおり、シンボルに対応する時間にわたる周波数の複数の部分を定義するＯＦＤＭシンボル構成と関係することが可能である。一例において、レガシー規格構成要素２０２は、３ＧＰＰ  ＬＴＥネットワークにおいて通信するためのパラメータを受け取ることが可能である。このため、例えば、レガシー規格構成要素２０２は、３ＧＰＰ  ＬＴＥ規格に従って無線デバイス３０２および３０４に順方向リンクを介して通信するために、適切な１０ミリ秒間隔にわたっていくつかの無線フレームを定義することが可能である。さらに、レガシー規格構成要素２０２は、それぞれ約１ミリ秒、続く、所与のフレーム内の１０のサブフレームを定義することが可能である。さらに、レガシー規格構成要素２０２は、これらのサブフレームを、複数のリソースブロック（ＲＢ）にそれぞれが分割される２つのスロットに分割することが可能であり、ＲＢは、１２の副搬送波（例えば、ＯＦＤＭシンボルの周波数部分）を含むことが可能である。これらの副搬送波は、例えば、隣接しているかもしれないし、そうでないかもしれない。
【００３９】
この例において、レガシー規格構成要素２０２は、順方向リンク上でサブフレームフォーマットをさらに定義することが可能である。３ＧＰＰ  ＬＴＥにおける或る例示的なサブフレームフォーマットにおいて、サブフレームの最初のＮ個のＯＦＤＭシンボルが、制御データを送信するために確保されることが可能であり、ただし、Ｎは、１から３までの範囲内にあり、その所与のサブフレーム内でリソースがやはり確保されている異なる制御データの中で指定される。さらに、アクセスポイント３０６のアンテナの数に依存して、レガシー規定構成要素２０２は、アクセスポイント３０６の識別を円滑にする関連する基準信号を送信するために、１つまたは複数のＯＦＤＭシンボルの１つまたは複数の副搬送波を確保することが可能である（例えば、２アンテナアクセスポイントの場合、サブフレームのシンボルインデックス０、４、７、および１１、４アンテナアクセスポイントの場合、インデックス０、１、４、７、８、および１１という具合に）。その他のサブフレームフォーマットも可能であることを認識されたい。例えば、レガシー規格構成要素２０２は、さらに、または代替として、例えば、マルチキャストブロードキャストマルチメディアサービス（ＭＢＭＳ）単一周波数ネットワーク（ＭＢＳＦＮ）サブフレームフォーマットに従って、サブフレーム内の最初の２つのＯＦＤＭシンボルにわたって制御データおよび基準信号を送信することが可能である。
【００４０】
いずれにしても、残りのＯＦＤＭシンボルのうち、それらのＯＦＤＭシンボルの１つまたは複数の副搬送波が、ＲＢにグループ化されることが可能である。リソース割当て構成要素２０６は、１つまたは複数のＲＢを、それらのＲＢにわたる汎用データ通信のために無線デバイス３０２および／または他のレガシー無線デバイスに割り当てることが可能であり、さらに送信機構成要素３１６は、制御データリソースを介して、この割当てを無線デバイス３０２に送信することが可能である。受信機構成要素３０８は、制御データリソースを介して、この割当てを受信し、さらに制御データを解釈して、リソース割当てを特定することが可能である。移動デバイス３０２のレガシー規格構成要素３１０は、前述したとおり、アクセスポイント３０６のレガシー規格構成要素２０２と実質的に同一の規格を定義することが可能である。このため、無線デバイス３０２は、リソース割当てが制御データリソースを介して送信されることを予期することが可能である。この割当てが受信されると、無線デバイス３０２は、アクセスポイント３０６を相手にリソースを確立して、それらのリソースを介して無線ネットワークデータを通信することが可能である。
【００４１】
さらに、レガシー規格構成要素２０２および３１０によって定義されたリソースは、チャネルと呼ばれることが可能であり、これらのチャネルは、１つまたは複数のＯＦＤＭシンボルの複数の部分を備えることが可能である。このため、制御データリソースは、或るデータが送信されることが可能なチャネルにグループ化されることが可能である。例えば、前述したサブフレームフォーマットにおいて、制御データのために確保された最初のＮ個のＯＦＤＭシンボルのうち、それらのシンボルの一部分、および／またはそれらのシンボル内の副搬送波が、アクセスポイント３０６から無線デバイス３０２および／または３０４に制御データが送信される物理ダウンリンク制御チャネル（ＰＤＣＣＨ）、汎用データ通信リソースを介してデータを受信することと関係する肯定応答（ＡＣＫ）および／または否定応答（ＮＡＣＫ）が送信されることが可能な物理ハイブリッド自動再送／要求標識チャネル（ＰＨＩＣＨ）、および／または以上に類するチャネルを定義することが可能である。さらに、無線デバイス３０２に割り当てられた残りのＯＦＤＭシンボルにおけるＲＢは、１つまたは複数の汎用データ通信チャネルを備えることが可能である。汎用データ通信のために使用される残りのＲＢは、一例では、後段で説明されるとおり、異なるネットワーク規格による制御データのために利用されることが可能である。これらのＲＢは、さらに、または代替として、レガシー規格によってサポートされるよりも多くのアンテナのために基準信号を伝送するなどの、他の非データ目的で利用されることも可能であることを認識されたい。
【００４２】
さらに、新規制御データ構成要素２０４が、或る規格に従って新たなシステムに関する制御チャネルを定義することが可能である。例えば、それらの制御チャネルは、アップリンクリソース割当ておよび／またはダウンリンクリソース割当て、ＡＣＫ／ＮＡＣＫ情報、チャネル品質標識（ＣＱＩ）および／または以上に類するもののために利用されることが可能である。別の例において、制御チャネルは、干渉管理のために利用されることが可能である。例えば、アクセスポイント３０６は、１つまたは複数の移動デバイスが、いくつかのリソース上で伝送を沈黙させて、それらのいくつかのリソース上で他のデバイスの高い優先順位のトラヒックを許すようにという要求を送信するのに、制御チャネルを使用することが可能であり、無線デバイス３０２および／または３０４は、１つまたは複数のアクセスポイントが、いくつかのリソース上で伝送を沈黙させて、それらのいくつかのリソース上で過度の干渉なしに、順方向リンクデータをスケジュールすることを円滑にするようにという要求を、制御チャネルを介して送信することが可能である。説明されるとおり、新規制御データ構成要素２０４は、レガシー規格構成要素２０２によって定義された、汎用データ通信のために使用されるリソース上で、新たなシステム規格に従ってグローバル制御セグメントを定義することが可能である。さらに、リソース割当て構成要素２０６が、グローバル制御セグメントと関係するアップリンクリソースおよび／またはダウンリンクリソースを無線デバイス３０２に割り当てることを回避して、グローバル制御セグメント上の干渉を軽減することが可能である。説明されるとおり、新規制御データ構成要素２０４は、実質的にすべてのアクセスポイントが、レガシー制御チャネルリソースまたは基準信号リソースを利用することが可能であるので、高い干渉を示す可能性が高い、それらのリソースを利用することを回避するように、レガシー汎用データリソース上でグローバル制御セグメントを定義することが可能である。
【００４３】
例えば、アクセスポイント３０６が、マクロセル基地局である場合、アクセスポイント３０６は、レガシー制御チャネルおよび基準信号リソースを介して送信しているフェムトセルからの高い干渉を経験する可能性があり、このため、データチャネルリソース上で新たなシステムに関する制御チャネルを定義することは、マクロセル基地局が、他の基地局からの干渉なしに、それらの新たな制御チャネルを介して制御データを送信することを可能にする。実際、それらの新たな制御チャネルが、異種の基地局によって知られている場合、グローバル制御セグメントは、後段で説明されるとおり、その他の基地局が、それらの新たな制御チャネルリソース上でデータ伝送をさらにスケジュールしないように定義されることが可能であり、干渉がさらに軽減される。別の例において、無線デバイス３０２および／または３０４が、低電力のピコセルアクセスポイントに接続されることが可能であり、ただし、周囲のマクロセルアクセスポイントは、より望ましい信号強度を有し、したがって、ピコセルアクセスポイントに接続された無線デバイス３０２および／または３０４に障害をもたらす。この例において、新たな制御チャネルを提供することは、ピコセルアクセスポイントが、周囲のマクロセルアクセスポイントによって高い干渉を受ける可能性が高いレガシー制御リソース以外のリソースを介して、無線デバイス３０２および／または３０４に制御データを通信することを可能にする。
【００４４】
しかし、例えば、異種のアクセスポイントが、グローバル制御セグメントを定義しない（例えば、異種のアクセスポイントが、レガシー規格を単に利用する）場合、アクセスポイント３０６が、異種のアクセスポイントとデバイスの間のデータ伝送から高い干渉を経験する可能性がある。しかし、送信機構成要素３１６は、本明細書でさらに説明されるとおり、ビーコンベースの制御送信、制御チャネルブランキング、再使用、および／または以上に類する方法などの、グローバル制御セグメント上で１つまたは複数の多様な制御シグナリング方法を使用することによって、そのような干渉を回避することが可能である。さらに、レガシーシステムにおいてデータのために確保されたリソース上でグローバル制御セグメントを定義することは、アクセスポイント３０６が、レガシーシステムおよび新たなシステムをサポートすることを可能にする（例えば、アクセスポイント３０６は、汎用データ通信リソースを介して新たな制御信号を送信しながら、レガシー制御データおよび基準信号を送信することも可能である）。
【００４５】
送信機構成要素３１６が、それらの新たな制御データリソースを介して制御データを送信することが可能であり、受信機構成要素３１２が、その制御データを受信することが可能である。新規システム規格構成要素３１４は、新たなシステム規格を使用して、アクセスポイント３０６と通信することと関係するパラメータを定義することが可能である。レガシー規格と同様に、新たな規格に関するパラメータは、ハードコーディングから、無線ネットワークにおける１つまたは複数のデバイス（アクセスポイント３０６または別のデバイスなどの）から、構成ファイルから、および／または以上に類する仕方で受け取られることが可能である。一例において、これらのパラメータは、レガシー規格構成要素３１０および／または２０２において定義されるのと実質的に同一であることが可能なＯＦＤＭシンボル構成、フレーム／サブフレームフォーマットなどと関係することが可能である。しかし、制御データリソースまたはチャネルは、説明されるとおり、レガシーシステムのデータリソース上で定義されることが可能である。このため、新規システム規格構成要素３１４は、グローバル制御セグメントを同様に定義して、このセグメント内のリソース上で制御データを受信することを予期することが可能である。別の例において、新たなシステムは、レガシーシステムと同様に基準信号を使用することも可能であり、このため、新たなシステム規格構成要素３１４は、この例において、基準信号リソースを定義し、このリソース上で基準信号を受信することを予期することが可能である。
【００４６】
図４を参照すると、中継ノードに関する新たな制御チャネル定義および利用をもたらす無線通信システム４００が示されている。詳細には、中継ノード４０２を使用してアクセスポイント１０４と通信するアクセス端末装置１０２が与えられている。例えば、中継ノード４０２が、アクセスポイント１０４から通信を受信し、その通信を復号し、さらにその通信をアクセス端末装置１０２に転送することが可能である。中継ノード４０２は、さらに、または代替として、アクセス端末装置１０２からアクセスポイント１０４に通信することを円滑にすることが可能である。中継ノード４０２における干渉を低減するのに、例えば、同一のリソースを使用して制御データを送受信しないことが望ましいかもしれない。このため、中継ノード４０２は、レガシー制御チャネルを使用することに加えて、本明細書で説明される機能を実施して、新たな制御チャネルを作成することが可能である。
【００４７】
これに関して、アクセスポイント１０４は、レガシーシステムの汎用データリソースにおいて定義された新たな制御チャネルを介して中継ノードに制御データを送信することが可能である。このことは、伝送のために中継ノード４０２におけるレガシー制御チャネルを事実上、解放し、これに相応して、中継ノード４０２は、レガシー制御チャネルを介してアクセスポイント１０４から制御データを受信し、この制御データをアクセス端末装置１０２に送信することが可能である。このため、中継ノード４０２は、レガシー端末装置の更新を要求することなしに、利用されることが可能である。別の例において、中継ノード４０２は、レガシー制御チャネルを介してアクセスポイント１０４から制御データを受信することが可能であり、さらに汎用通信データを送信するためにレガシーシステムによって確保されたリソースにおいて定義された新たな制御チャネルを介して、この制御データをアクセス端末装置１０２に送信することが可能である。この例において、アクセス端末装置１０２は、アクセスポイント１０４の変更を要求することなしに、新たな規格をサポートすることが可能である。この例における中継ノードは、ビーコンベースの制御データ送信、制御チャネルブランキング、再使用、および／または以上に類するスキームなどのダイバーシティスキームを使用して、制御データを送信することも可能であることを認識されたい。
【００４８】
次に図５を参照すると、無線通信ネットワークにおいて利用されることが可能な帯域幅５００の例示的な複数の部分が示されている。サブフレーム５０２および５０４は、前述したとおり、或る規格による、より大きいフレームからであることが可能であり、それぞれ２つのスロットに分けられることが可能である。一例において、サブフレーム５０２および５０４は、３ＧＰＰ  ＬＴＥネットワークにおいて定義された、より大きい１０ミリ秒フレームの１ミリ秒サブフレームであることが可能である。示されるサブフレームフォーマットによれば、サブフレーム５０２および５０４はそれぞれ、制御データ通信のために最初のＮ個のＯＦＤＭシンボルを確保することが可能であり、この例では、Ｎ＝２であり、確保されたＯＦＤＭシンボルは、５０６で示される。さらに、５０８で示されるＯＦＤＭシンボル０、４、７、および１１が、基準信号を送信するために各サブフレーム５０２および５０４の中で確保される。残りのＯＦＤＭシンボルは、無線ネットワークにおいてデータを送信するために確保されることが可能である。しかし、ＯＦＤＭシンボル５１０は、新たな制御データを送信するために確保される。このため、このスキームを利用するデバイスは、デバイスが制御データを送信することが可能な各サブフレームに関して５１０におけるグローバル制御セグメントをさらに定義することが可能であり、これに相応して、通信リソースをスケジュールすること、または他のデータを送信することを回避することが可能である。グローバル制御セグメントは、サブフレームごとに識別される必要はなく、一例では、フレーム内の１つまたは複数のサブフレームに関して定義されることも可能であることを認識されたい。
【００４９】
次に図６を参照すると、無線通信ネットワークにおいて利用されることが可能な帯域幅６００の例示的な複数の部分が示されている。前の図と同様に、帯域幅の、これらの複数の部分は、３ＧＰＰ  ＬＴＥ構成におけるサブフレームであることが可能である。さらに、各サブフレーム内のいくつかのＯＦＤＭシンボルが、説明されるとおり、制御データおよび／または基準信号のために確保されることが可能である。さらに、アクセスポイントが、制御データを送信している場合を除いて、通信を沈黙させることが可能なグローバル制御セグメントが定義される。図示されるとおり、２つのアクセスポイントが、制御データを、グローバル制御セグメント上でビーコン信号として送信する。トーン６０２における最初のサブフレームの中で、第１のアクセスポイントが、制御データをビーコン信号として送信することが可能であり、このことは、単一のトーンにわたる実質的にすべての電力（または少なくとも比較的大量の電力）を使用して送信することと関係することが可能である。これに関して、制御データは、例えば、他のレガシーアクセスポイントおよび／または関連する移動デバイスからのデータ通信干渉を超えて聞かれることが可能である。トーン６０４で、第２のアクセスポイントが、制御データをビーコン信号として送信する。同様に、アクセスポイントは、６０２および６０４において第２のサブフレーム内の異なるビーコン信号において制御データを送信する。制御データビーコン送信スキームは、関連するアクセスポイントの識別子、そのアクセスポイントの機能、そのアクセスポイントのサービスプロバイダ、そのアクセスポイントのロケーション、周囲のアクセスポイントのビーコン送信スキーム、および／または以上に類することに基づいて、開発されることが可能であることを認識されたい。
【００５０】
次に図７を参照すると、無線通信ネットワークにおいて利用されることが可能な帯域幅７００の例示的な複数の部分が示されている。前の図と同様に、帯域幅の、これらの複数の部分は、３ＧＰＰ  ＬＴＥ構成におけるサブフレームであることが可能である。さらに、各サブフレーム内のいくつかのＯＦＤＭシンボルが、説明されるとおり、制御データおよび／または基準信号のために確保されることが可能である。さらに、アクセスポイントが、制御データを送信している場合を除いて、通信を沈黙させることが可能なグローバル制御セグメントが定義される。図示されるとおり、２つのアクセスポイントが、ランダム、擬似ランダムなどであることが可能な再使用パターンに従って、関連するアクセスポイントの識別子に基づいて、時間につれ変化するスキームに従って、さらに／または以上に類する仕方で、各サブフレーム内で、それぞれ７０２および７０４において制御データを送信する。さらに、制御データ７０２および７０４は、複数のトーン上、および／または複数のＯＦＤＭシンボル上で送信されて、ダイバーシティをもたらす。このため、これらのトーンの１つまたは複数が干渉を受ける（例えば、レガシーデバイスが、グローバル制御セグメントを実施せず、それらのリソースを介して汎用データを送信することによって）場合、その他のトーンは、いくらかの尤度で、干渉を受けない。各制御データ７０２および７０４に関して２つの隣接する伝送が示されているものの、より多くの伝送が可能であり、干渉を受けないゆう度を高めることを認識されたい。さらに、再使用スキームは、関連するアクセスポイントの識別子、アクセスポイントの機能、アクセスポイントのサービスプロバイダ、アクセスポイントのロケーション、周囲のアクセスポイントの再使用スキーム、および／または以上に類することに基づいて、開発されることが可能であることを認識されたい。
【００５１】
次に図８〜図９を参照すると、本明細書で説明される様々な態様に従って実行されることが可能な方法が示されている。説明を簡単にするため、これらの方法は、一連の動作として示され、説明されるが、これらの方法は、一部の動作が、１つまたは複数の態様によれば、本明細書で示され、説明されるのとは異なる順序で、さらに／または他の動作と同時に行われることが可能であるので、動作の順序によって限定されないことを理解し、認識されたい。例えば、方法は、代替として、状態図などにおいて、相互に関係する一連の状態またはイベントとして表されることも可能であることが当業者によって理解され、認識されよう。さらに、例示されるすべての動作が、１つまたは複数の態様による方法を実施するのに要求されるわけではない可能性がある。
【００５２】
図８を参照すると、示されているのは、無線ネットワークにおいて新たな制御チャネルを定義し、それらのチャネルを介して通信するための方法８００である。８０２で、無線通信リソースの一部分が、レガシーネットワーク規格に従って汎用データ通信のために確保されることが可能である。説明されるとおり、リソースの、この部分は、一例では、制御データ送信および／または基準信号送信のために異なるリソースが確保される場合に、消極的な暗示に基づいて確保されることが可能である。この例において、データ通信のために確保された部分は、制御データ送信および／または基準信号送信のために確保されていないリソースの少なくとも一部分として推測される。
【００５３】
８０４で、無線通信リソースの、その部分のサブセットが、制御データを通信するために割り当てられることが可能である。このことは、一例では、新たなネットワーク規格によることが可能である。新たな制御チャネルを定義するために汎用データリソースを使用することは、説明されるとおり、レガシー制御チャネル（様々なデバイスによって多用される可能性が高い）上で生じる干渉を軽減するとともに、レガシーデバイスのサポートを許すことが可能である。さらに、このサブセットは、データ通信リソースを１つまたは複数の移動デバイスにスケジュールすることに関して回避されることが可能であり、サポートするデバイスの間で事実上、グローバル制御セグメントを定義する。８０６で、制御データは、このサブセット上で送信されることが可能である。説明されるとおり、制御データは、例えば、ビーコンシグナリング、制御リソースブランキング、再使用機構、および／または以上に類することを使用して送信されることが可能である。
【００５４】
図９を参照すると、レガシー無線ネットワークのデータ通信空間内で制御チャネルを定義する方法９００が示されている。９０２で、制御データリソースのセットが、レガシーネットワークの汎用データ通信リソース内で定義されることが可能である。レガシーネットワーク規格は、制御データリソース定義を実行する、知られている、さらに／または異種のネットワーク規格であることが可能であることを認識されたい。９０４で、制御データが、それらのリソースを介して受信される。一例において、制御データは、レガシーデータ通信リソース上で制御データリソースを同様に定義するアクセスポイントから受信されることが可能である。９０６で、この制御データが復号されて、汎用データ通信のためにスケジュールされた１つまたは複数のリソースが特定されることが可能である。これに関して、制御データリソースを介して受信される制御データは、無線ネットワークアクセスのためのデータ通信をスケジュールすることと関係することが可能である。
【００５５】
本明細書で説明される１つまたは複数の態様によれば、汎用データ通信リソースロケーション、新たな制御データフォーマットおよび／または関連するサブフレームフォーマット、レガシー規格、および／または以上に類することを特定することに関する推測が、行われることが可能であることを認識されたい。本明細書で使用される「推測する」または「推測」という用語は、イベントおよび／またはデータを介して捕捉された観察のセットからシステム、環境、および／またはユーザの状態について推論する、または推測するプロセスを全体的に指す。推測は、例えば、特定のコンテキストもしくはアクションを識別するのに使用されることが可能であり、または複数の状態にわたる確率分布を生成することが可能である。この推測は、確率論的である、つまり、データおよびイベントの考慮に基づく、関心対象の複数の状態にわたる確率分布の計算であることが可能である。また、推測は、イベントおよび／またはデータのセットから、より高いレベルのイベントを構成するために使用される技術を指すことも可能である。そのような推測は、イベントが時間的に密接に相互に関係しているか否か、ならびにイベントおよびデータが、１つのイベントおよびデータのソースから来るか、いくつかのイベントおよびデータのソースから来るかにかかわらず、観察されたイベントおよび／または格納されたイベントデータのセットから新たなイベントまたはアクションの構築をもたらす。
【００５６】
図１０を参照すると、示されているのは、無線通信ネットワークにおいて利用するための新たな制御チャネルを定義するシステム１０００である。例えば、システム１０００は、基地局内、移動デバイス内、または無線ネットワークへのアクセスをもたらす別のデバイス内に少なくとも部分的に存在することが可能である。システム１０００は、プロセッサ、ソフトウェア、またはプロセッサとソフトウェアの組合せ（例えば、ファームウェア）によって実施される機能を表す機能ブロックであることが可能な、機能ブロックを含むものとして表されることを認識されたい。システム１０００は、連携して動作することが可能な電気構成要素の論理グループ化１００２を含む。例えば、論理グループ化１００２は、レガシーネットワーク規格によるデータ通信のために無線通信リソースの一部分をグループ化するための電気構成要素１００４を含むことが可能である。一例において、これらのリソースは、レガシー制御データ通信および／または基準信号通信のために確保されたリソースの集まりを識別することに少なくとも部分的に基づいてグループ化されることが可能であり、この集まりに入っていないリソースの少なくとも一部は、データ通信のためにグループ化されることが可能である。さらに、論理グループ化１００２は、制御データを通信するために無線通信リソースの確保された部分のサブセットを割り当てるための電気構成要素１００６を備えることが可能である。説明されるとおり、データ通信リソースを利用することは、レガシーデバイスをサポートすること、および新たな制御データリソース上の干渉を最小限に抑えることを可能にする。
【００５７】
さらに、論理グループ化１００２は、リソースのサブセットを介して制御データを送信するための電気構成要素１００８を含むことが可能である。説明されるとおり、この制御データは、再使用スキームに従って、グローバル制御セグメントを定義する制御リソースブランキングを使用して、さらに／または以上に類する仕方で、ビーコン信号の中で送信されることが可能である。さらに、論理グループ化１００２は、グローバル制御セグメントを定義するサブセット以外のリソース上にデータ通信をスケジュールするための電気構成要素１０１０を含むことも可能である。前述したとおり、それらのリソースにわたるブランキングは、グローバル制御セグメントの順守を可能にする。説明される機能を実施するシステムが、そのセグメント上にデータ送信をスケジュールすることを控える場合、そのセグメントは、システムによって実質的に干渉を受けず、低い干渉を有する制御セグメントをもたらすことが可能である。さらに、システム１０００は、電気構成要素１００４、１００６、１００８、および１０１０に関連する機能を実行するための命令を保持するメモリ１０１２を含むことが可能である。メモリ１０１２の外部にあるものとして示されるが、電気構成要素１００４、１００６、１００８、および１０１０の１つまたは複数は、メモリ１０１２の内部に存在することも可能であることを理解されたい。
【００５８】
図１１を参照すると、示されているのは、無線ネットワークにおいて新たに定義された制御チャネルを介して通信するシステム１１００である。例えば、システム１１００は、基地局内、移動デバイス内などに少なくとも部分的に存在することが可能である。システム１１００は、プロセッサ、ソフトウェア、またはプロセッサとソフトウェアの組合せ（例えば、ファームウェア）によって実施される機能を表す機能ブロックであることが可能な、機能ブロックを含むものとして表されることを認識されたい。システム１１００は、連携して動作することが可能な電気構成要素の論理グループ化１１０２を含む。例えば、論理グループ化１１０２は、レガシーネットワークにおけるデータ通信のために確保された無線通信リソースの一部分から制御データリソースのセットを割り当てるための電気構成要素１１０４を含むことが可能である。例えば、制御データリソースの、このセットは、説明されるとおり、さらなる通信パラメータと一緒に、アクセスポイントから、またはそれ以外で、ネットワーク規格の一部として受け取られることが可能である。さらに、論理グループ化１１０２は、制御データリソースのセットを介してアクセスポイントから制御データを受信するための電気構成要素１１０６を備えることが可能である。この制御データは、例えば、アクセスポイントから受信されることが可能であり、さらに確立されたチャネルおよび／または他の制御データに関するリソース許可、品質情報、または肯定応答標識を備えることが可能である。さらに、システム１１００は、電気構成要素１１０４および１１０６に関連する機能を実行するための命令を保持するメモリ１１０８を含むことが可能である。メモリ１１０８の外部にあるものとして示されるが、電気構成要素１１０４および１１０６の１つまたは複数は、メモリ１１０８の内部に存在することも可能であることを理解されたい。
【００５９】
図１２は、本明細書で説明される機能の様々な態様を実施するのに利用されることが可能なシステム１２００のブロック図である。一例において、システム１２００は、基地局またはｅＮＢ１２０２を含む。図示されるとおり、ｅＮＢ１２０２は、１つまたは複数の受信（Ｒｘ）アンテナ１２０６を介して１つまたは複数のＵＥ１２０４から信号を受信することが可能であり、１つまたは複数の送信（Ｔｘ）アンテナ１２０８を介して１つまたは複数のＵＥ１２０４に送信することが可能である。さらに、ｅＮＢ１２０２は、受信アンテナ１２０６から情報を受信する受信機１２１０を備えることが可能である。一例において、受信機１２１０は、受信された情報を復調する復調器（Ｄｅｍｏｄ）１２１２に動作上、関連付けられることが可能である。次に、復調されたシンボルは、プロセッサ１２１４によって分析されることが可能である。プロセッサ１２１４は、メモリ１２１６に結合されることが可能であり、メモリ１２１６は、コードクラスタと関係する情報、アクセス端末装置割当て、これらの割当てと関係するルックアップテーブル、一意スクランブル系列、および／または他の適切なタイプの情報を格納することが可能である。一例において、ｅＮＢ１２０２が、プロセッサ１２１４を使用して、方法６００、７００、および／または他の類似した、適切な方法を実行することが可能である。また、ｅＮＢ１２０２は、送信アンテナ１２０８を介して送信機１２２０によって送信されるように信号を多重化することが可能な変調器１２１８を含むことも可能である。
【００６０】
図１３は、本明細書で説明される機能の様々な態様を実施するのに利用されることが可能な別のシステム１３００のブロック図である。一例において、システム１３００は、移動端末装置１３０２を含む。図示されるとおり、移動端末装置１３０２は、１つまたは複数のアンテナ１３０８を介して１つまたは複数の基地局１３０４から信号を受信することが可能であり、１つまたは複数の基地局１３０４に送信することが可能である。さらに、移動端末装置１３０２は、アンテナ１３０８から情報を受信する受信機１３１０を備えることが可能である。一例において、受信機１３１０は、受信された情報を復調する復調器（Ｄｅｍｏｄ）１３１２に動作上、関連付けられることが可能である。次に、復調されたシンボルは、プロセッサ１３１４によって分析されることが可能である。プロセッサ１３１４は、移動端末装置１３０２と関係するデータおよび／またはプログラムコードを格納することが可能なメモリ１３１６に結合されることが可能である。さらに、移動端末装置１３０２は、プロセッサ１３１４を使用して、方法６００、７００、および／または他の類似した適切な方法を実行することが可能である。また、移動端末装置１３０２は、前出の図で示される１つまたは複数の構成要素を使用して、説明される機能を実行することも可能であり、一例では、これらの構成要素は、プロセッサ１３１４によって実施されることが可能である。また、移動端末装置１３０２は、アンテナ１３０８を介して送信機１３２０によって送信されるように信号を多重化することが可能な変調器１３１８を含むことも可能である。
【００６１】
次に図１４を参照すると、様々な態様による無線多元接続通信システムの図が与えられている。一例において、アクセスポイント（ＡＰ）１４００は、複数のアンテナグループを含む。図１４に示されるとおり、１つのアンテナグループは、アンテナ１４０４および１４０６を含むことが可能であり、別のグループは、アンテナ１４０８および１４１０を含むことが可能であり、別のグループは、アンテナ１４１２および１４１４を含むことが可能である。各アンテナグループに関して２つだけのアンテナしか図１４に示されていないが、各アンテナグループに関して、より多くの、またはより少ないアンテナが利用されてもよいことを認識されたい。別の例において、アクセス端末装置１４１６が、アンテナ１４１２および１４１４と通信状態にあることが可能であり、ただし、アンテナ１４１２および１４１４は、順方向リンク１４２０を介してアクセス端末装置１４１６に情報を送信し、逆方向リンク１４１８を介してアクセス端末装置１４１６から情報を受信する。加えて、さらに／または代替として、アクセス端末装置１４２２が、アンテナ１４０６および１４０８と通信状態にあることが可能であり、ただし、アンテナ１４０６および１４０８は、順方向リンク１４２６を介してアクセス端末装置１４２２に情報を送信し、逆方向リンク１４２４を介してアクセス端末装置１４２２から情報を受信する。周波数分割複信システムにおいて、通信リンク１４１８、１４２０、１４２４、および１４２６は、通信のために異なる周波数を使用することが可能である。例えば、順方向リンク１４２０は、逆方向リンク１４１８によって使用される周波数とは異なる周波数を使用してもよい。
【００６２】
アンテナの各グループ、および／またはアンテナグループが通信するように設計されている区域が、アクセスポイントのセクタと呼ばれることが可能である。一態様によれば、アンテナグループは、アクセスポイント１４００によって範囲に含まれる区域のセクタ内のアクセス端末装置に通信するように設計されることが可能である。順方向リンク１４２０および１４２６を介する通信において、アクセスポイント１４００の送信アンテナは、異なるアクセス端末装置１４１６および１４２２に関する順方向リンクのＳＮ比を向上させるためにビーム形成を利用することが可能である。また、アクセスポイントが、そのアクセスポイントのカバレッジにわたってランダムに散らばっているアクセス端末装置にビーム形成を使用して送信することにより、アクセスポイントが、そのアクセスポイントのすべてのアクセス端末装置に単一のアンテナを介して送信することと比べて、隣接セル内のアクセス端末装置にもたらされる干渉がより小さくなる。
【００６３】
アクセスポイント、例えば、アクセスポイント１４００は、端末装置と通信するために使用される固定局であることが可能であり、さらに基地局、ｅＮＢ、アクセスネットワーク、および／または他の適切な用語で呼ばれることも可能である。さらに、アクセス端末装置、例えば、アクセス端末装置１４１６または１４２２は、移動端末装置、ユーザ機器、無線通信デバイス、端末装置、無線端末装置、および／または他の適切な用語で呼ばれることも可能である。
【００６４】
次に図１５を参照すると、本明細書で説明される様々な態様が機能することが可能である例示的な無線通信システム１５００を示すブロック図が与えられている。一例において、システム１５００は、送信機システム１５１０と、受信機システム１５５０とを含む多入力多出力（ＭＩＭＯ）システムである。しかし、送信機システム１５１０および／または受信機システム１５５０は、例えば、複数の送信アンテナ（例えば、基地局上の）が単一アンテナデバイス（例えば、移動局）に１つまたは複数のシンボルストリームを送信することが可能な多入力単出力システムに適用されることも可能であることを認識されたい。さらに、本明細書で説明される送信機システム１５１０および／または受信機システム１５５０の態様は、単出力−単入力アンテナシステムに関連して利用されることも可能であることを認識されたい。
【００６５】
一態様によれば、いくつかのデータストリームに関するトラヒックデータが、送信機システム１５１０においてデータソース１５１２から送信（ＴＸ）データプロセッサ１５１４に供給される。一例において、各データストリームは、次に、それぞれの送信アンテナ１５２４を介して送信されることが可能である。さらに、ＴＸデータプロセッサ１５１４は、符号化されたデータをもたらすために、各データストリームに関して選択された特定の符号化スキームに基づいて、各データストリームに関するトラヒックデータをフォーマットし、符号化し、さらにインターリーブすることが可能である。一例において、各データストリームに関する符号化されたデータは、次に、ＯＦＤＭ技術を使用してパイロットデータと多重化されることが可能である。パイロットデータは、例えば、知られている仕方で処理される、知られているデータパターンであることが可能である。さらに、パイロットデータは、受信機システム１５５０においてチャネル応答を推定するのに使用されることが可能である。送信機システム１５１０に戻ると、各データストリームに関する多重化されたパイロットデータと符号化されたデータは、変調シンボルをもたらすために各データストリームに関して選択された特定の変調スキーム（例えば、ＢＰＳＫ、ＱＳＰＫ、Ｍ−ＰＳＫ、またはＭ−ＱＡＭ）に基づいて変調される（すなわち、シンボルマップされる）ことが可能である。一例において、各データストリームに関するデータ転送速度、符号化、および変調は、プロセッサ１５３０上で実行され、さらに／またはプロセッサ１５３０によって与えられる命令によって決まることが可能である。
【００６６】
次に、すべてのデータストリームに関する変調シンボルが、それらの変調シンボルをさらに処理する（例えば、ＯＦＤＭのために）ことが可能なＴＸプロセッサ１５２０に供給されることが可能である。次に、ＴＸ  ＭＩＭＯプロセッサ１５２０は、ＮＴ個の変調シンボルストリームをＮＴ個のトランシーバ１５２２ａないし１５２２ｔに供給することが可能である。一例において、各トランシーバ１５２２は、それぞれのシンボルストリームを受け取り、処理して、１つまたは複数のアナログ信号をもたらすことが可能である。次に、各トランシーバ１５２２は、これらのアナログ信号をさらに調整して（例えば、増幅し、フィルタリングし、さらにアップコンバートして）、ＭＩＭＯチャネルを介して送信するのに適した、変調された信号をもたらすことが可能である。したがって、次に、トランシーバ１５２２ａないし１５２２ｔからのＮＴ個の変調された信号が、それぞれ、ＮＴ個のアンテナ１５２４ａないし１５２４ｔから送信されることが可能である。
【００６７】
別の態様によれば、送信された、変調された信号は、受信機システム１５５０においてＮＲ個のアンテナ１５５２ａないし１５５２ｒによって受信されることが可能である。各アンテナ１５５２からの受信された信号は、次に、それぞれのトランシーバ１５５４に供給されることが可能である。一例において、各トランシーバ１５５４は、受信されたそれぞれの信号を調整し（例えば、フィルタリングし、増幅し、さらにダウンコンバートして）、この調整された信号をディジタル化して、サンプルをもたらし、次に、これらのサンプルを処理して、対応する「受信された」シンボルストリームをもたらすことが可能である。次に、ＲＸ  ＭＩＭＯ／データプロセッサ１５６０が、ＮＲ個のトランシーバ１５５４からＮＲ個の受信されたシンボルストリームを受け取り、特定の受信機処理技術に基づいて処理して、ＮＴ個の「検出された」シンボルストリームをもたらすことが可能である。一例において、検出された各シンボルストリームは、対応するデータストリームに関して送信された変調シンボルの推定であるシンボルを含むことが可能である。次に、ＲＸプロセッサ１５６０は、少なくとも部分的には、検出された各シンボルストリームを復調し、逆インターリーブし、復号することによって、各シンボルストリームを処理して、対応するデータストリームに関するトラヒックデータを回復することが可能である。このため、ＲＸプロセッサ１５６０による処理は、送信機システム１５１０においてＴＸ  ＭＩＭＯプロセッサ１５２０およびＴＸデータプロセッサ１５１６によって実行される処理と相補的であることが可能である。ＲＸプロセッサ１５６０は、処理されたシンボルストリームをデータシンク１５６４にさらに供給することが可能である。
【００６８】
一態様によれば、ＲＸプロセッサ１５６０によって生成されたチャネル応答推定は、受信機において空間／時間処理を実行し、電力レベルを調整し、変調レートもしくは変調スキームを変更し、さらに／または他の適切なアクションを行うのに使用されることが可能である。さらに、ＲＸプロセッサ１５６０は、例えば、検出されたシンボルストリームのＳＮＲ（信号対雑音干渉比）などのチャネル特性をさらに推定することが可能である。次に、ＲＸプロセッサ１５６０は、推定されたチャネル特性をプロセッサ１５７０に供給することが可能である。一例において、ＲＸプロセッサ１５６０および／またはプロセッサ１５７０は、システムに関する「動作」ＳＮＲの推定をさらに導き出すことが可能である。次に、プロセッサ１５７０は、通信リンクおよび／または受信されたデータストリームに関する情報を備えることが可能なチャネル状態情報（ＣＳＩ）をもたらすことが可能である。この情報は、例えば、動作ＳＮＲを含むことが可能である。次に、このＣＳＩが、ＴＸデータプロセッサ１５１８によって処理され、変調器１５８０によって変調され、トランシーバ１５５４ａないし１５５４ｒによって調整されて、送信機システム１５１０に返送されることが可能である。さらに、受信機システム１５５０におけるデータソース１５１６が、ＴＸデータプロセッサ１５１８によって処理されるべきさらなるデータを供給することが可能である。
【００６９】
送信機システム１５１０に戻ると、次に、受信機システム１５５０からの変調された信号が、アンテナ１５２４によって受信され、トランシーバ１５２２によって調整され、復調器１５４０によって復調され、ＲＸデータプロセッサ１５４２によって処理されて、受信機システム１５５０によって報告されたＣＳＩが回復されることが可能である。一例において、報告されたＣＳＩは、次に、プロセッサ１５３０に供給されて、１つまたは複数のデータストリームのために使用されるべきデータ転送速度、ならびに符号化スキームおよび変調スキームを決定するのに使用されることが可能である。決定された符号化スキームおよび変調スキームは、次に、量子化のため、および／または受信機システム１５５０に後に送信する際に使用するために、トランシーバ１５２２に供給されることが可能である。加えて、さらに／または代替として、報告されたＣＳＩは、プロセッサ１５３０によって、ＴＸデータプロセッサ１５１４およびＴＸ  ＭＩＭＯプロセッサ１５２０に関する様々な制御を生成するのに使用されることが可能である。別の例において、ＣＳＩ、および／またはＲＸデータプロセッサ１５４２によって処理される他の情報は、データシンク１５４４に供給されることが可能である。
【００７０】
一例において、送信機システム１５１０におけるプロセッサ１５３０、および受信機システム１５５０におけるプロセッサ１５７０は、それぞれのシステムにおける動作を誘導する。さらに、送信機１５１０におけるメモリ１５３２、および受信機１５５０におけるメモリ１５７２がそれぞれ、プロセッサ１５３０および１５７０によって使用されるプログラムコードおよびデータのためのストレージを提供することが可能である。さらに、受信機システム１５５０において、様々な処理技術が、受信されたＮＲ個の信号を処理して、送信されたＮＴ個のシンボルストリームを検出するのに使用されることが可能である。これらの受信機処理技術には、等化技術と呼ばれることも可能な空間受信機処理技術および空間−時間受信機処理技術、および／または「連続干渉除去」受信機処理技術もしくは「連続除去」受信機処理技術と呼ばれることも可能な「連続ゼロ化／等化および干渉除去」受信機処理技術が含まれることが可能である。
【００７１】
次に図１６を参照すると、いくつかの移動デバイスをサポートするように構成された無線通信システム１６００が示されている。システム１６００は、例えば、マクロセル１６０２Ａ〜１６０２Ｇなどの複数のセルに関する通信を提供し、各セルは、対応するアクセスポイント１６０４Ａ〜１６０４Ｇによるサービスを受ける。前述したとおり、例えば、マクロセル１６０２Ａ〜１６０２Ｇと関係するアクセスポイント１６０４Ａ〜１６０４Ｇは、基地局であることが可能である。移動デバイス１６０６Ａ〜１６０６Ｉが、無線通信システム１６００全体にわたる様々なロケーションに散らばっていることが示されている。各移動デバイス１６０６Ａ〜１６０６Ｉは、説明されるとおり、順方向リンク上、および／または逆方向リンク上で１つまたは複数のアクセスポイント１６０４Ａ〜１６０４Ｇと通信することが可能である。さらに、アクセスポイント１６０８Ａ〜１６０８Ｃが示されている。これらは、説明されるとおり、或る特定のサービスロケーションと関係するサービスを提供する、フェムトセルなどの、より小規模のアクセスポイントであることが可能である。移動デバイス１６０６Ａ〜１６０６Ｉは、これらの、より小規模のアクセスポイント１６０８Ａ〜１６０８Ｃとさらに通信して、提供されるサービスを受けることが可能である。無線通信システム１６００は、一例では、大きい地理的区域にわたってサービスを提供することが可能である（例えば、マクロセル１６０２Ａ〜１６０２Ｇが、近隣におけるいくつかのブロックを範囲に含むことが可能であり、さらにフェムトセルアクセスポイント１６０８Ａ〜１６０８Ｃが、説明されるとおり、住居、オフィスビル、および／または以上に類する区域において存在することが可能である）。或る例において、移動デバイス１６０６Ａ〜１６０６Ｉは、無線接続を介して、さらに／またはバックホール接続を介してアクセスポイント１６０４Ａ〜１６０４Ｇおよび／または１６０８Ａ〜１６０８Ｃを相手に接続を確立することが可能である。
【００７２】
さらに、図示されるとおり、移動デバイス１６０６Ａ〜１６０６Ｉは、システム１６００全体を移動することが可能であり、異なるマクロセル１６０２Ａ〜１６０２Ｇまたはフェムトセルカバレッジエリアを通って移動するにつれ、様々なアクセスポイント１６０４Ａ〜１６０４Ｇおよび／または１６０８Ａ〜１６０８Ｃと関係するセルを再選択することが可能である。一例において、移動デバイス１６０６Ａ〜１６０６Ｉの１つまたは複数が、フェムトセルアクセスポイント１６０８Ａ〜１６０８Ｃの少なくとも１つと関係するホームフェムトセルに関連することが可能である。例えば、移動デバイス１６０６Ｉが、移動デバイス１６０６Ｉのホームフェムトセルとしてフェムトセルアクセスポイント１６０８Ｂに関連することが可能である。このため、移動デバイス１６０６Ｉは、マクロセル１６０２Ｂ内にあり、このため、アクセスポイント１６０４Ｂのカバレッジエリア内にあるものの、アクセスポイント１６０４Ｂではなく（またはアクセスポイント１６０４Ｂに加えて）フェムトセルアクセスポイント１６０８Ｂと通信することが可能である。一例において、フェムトセルアクセスポイント１６０８Ｂは、望ましい料金請求もしくは課金サービス、分単位使用サービス、拡張サービス（例えば、より高速のブロードバンドアクセス、メディアサービスなど）などの、さらなるサービスを移動デバイス１６０６Ｉに提供することが可能である。このため、移動デバイス１６０６Ｉが、フェムトセルアクセスポイント１６０８Ｂの範囲内にある場合、移動デバイス１６０６Ｉは、再選択の際にフェムトセルアクセスポイント１６０８Ｂを選好することが可能である。フェムトセルアクセスポイント１６０８Ｂと通信している際、移動デバイス１６０６Ｉは、様々なチャネルを介して、アクセスポイント１６０４Ｂからの、またはアクセスポイント１６０４Ｂと通信している周囲のデバイスからの干渉を経験する可能性がある。さらに、フェムトセルアクセスポイント１６０８Ｂおよび／または移動デバイス１６０６Ｉが、アクセスポイント１６０４Ｂおよび／または通信しているデバイスに干渉をもたらすことも可能である。
【００７３】
本明細書で説明される態様は、ハードウェア、ソフトウェア、ファームウェア、ミドルウェア、マイクロコード、または以上の任意の組合せによって実施されることが可能であることを理解されたい。これらのシステムおよび／または方法が、ソフトウェア、ファームウェア、ミドルウェアもしくはマイクロコード、プログラムコードもしくはコードセグメントで実施される場合、これらのシステムおよび／または方法は、記憶構成要素などのマシン可読媒体の中に格納されることが可能である。コードセグメントは、手順、機能、サブプログラム、プログラム、ルーチン、サブルーチン、モジュール、ソフトウェアパッケージ、クラス、あるいは命令、データ構造、またはプログラムステートメントの任意の組合せを表すことが可能である。コードセグメントは、情報、データ、引数、パラメータ、またはメモリ内容を送ること、および／または受け取ることによって、別のコードセグメントまたはハードウェア回路に結合されることが可能である。情報、引数、パラメータ、データなどは、メモリ共有、メッセージ受渡し、トークン受渡し、ネットワーク伝送などを含む任意の適切な手段を使用して、送られる、転送される、または送信されることが可能である。
【００７４】
ソフトウェア実施形態に関して、本明細書で説明される技術は、本明細書で説明される機能を実行するモジュール（例えば、手順、機能など）を用いて実施されることが可能である。これらのソフトウェアコードは、メモリユニットの中に格納されて、プロセッサによって実行されることが可能である。メモリユニットは、プロセッサの内部に実装されることも、プロセッサの外部に実装されることも可能であり、外部に実装される場合、メモリユニットは、当技術分野で知られているとおり、様々な手段を介してプロセッサに通信するように結合されることが可能である。
【００７５】
以上に説明してきたことには、１つまたは複数の態様の例が含まれる。もちろん、前述した態様を説明する目的で、構成要素および方法の考えられるすべての組合せを説明することは可能でないが、様々な態様の多くのさらなる組合せおよび置換が可能であることを当業者は認識することができよう。したがって、説明される態様は、添付の特許請求の範囲の趣旨および範囲に含まれるすべてのそのような代替、変形、および変種を包含することを意図している。さらに、「含む」という用語が、詳細な説明または特許請求の範囲において使用される限りにおいて、そのような用語は、「備える」という用語が請求項においてつなぎの言葉として使用される場合に解釈される「備える」と同様に、包含的であることが意図されている。さらに、詳細な説明または特許請求の範囲において使用される「または」という用語は、「非排他的なまたは」であることが意図されている。
以下に本件出願当初の特許請求の範囲を付記する。
［Ｃ１］
無線通信ネットワークにおいて新たな制御チャネルを定義するための方法であって、
レガシーネットワーク規格による汎用データ通信のために無線通信リソースの一部分を確保すること、
異種のネットワーク規格に従って制御データを通信するために無線通信リソースの前記確保された部分のサブセットを割り当てること、および
無線通信リソースの前記確保された部分の前記サブセットを介して制御データを送信することを備える方法。
［Ｃ２］
前記レガシーネットワーク規格は、第３世代パートナーシッププロジェクト（３ＧＰＰ）ロングタームエボリューション（ＬＴＥ）に相当し、さらに前記確保された部分は、少なくとも１つのサブフレーム内の少なくとも１つの確保されたリソースブロックを備える［Ｃ１］に記載の方法。
［Ｃ３］
前記レガシーネットワーク規格による汎用データ通信のために無線通信リソースの前記部分を確保することは、前記レガシーネットワーク規格に従って制御データを通信するために前記無線通信リソースの異なる部分を確保することから示される［Ｃ１］に記載の方法。
［Ｃ４］
前記無線通信リソースの前記異なる部分を介してレガシー制御データを受信することをさらに備え、無線通信リソースの前記部分の前記サブセットを介して制御データを送信することは、前記サブセットを介して前記レガシー制御データを送信することを含む［Ｃ３］に記載の方法。
［Ｃ５］
汎用データ通信のために無線通信リソースの前記部分を確保することは、前記レガシーネットワーク規格に従って基準信号を通信するために前記無線通信リソースの別の異なる部分を確保することからさらに示される［Ｃ３］に記載の方法。
［Ｃ６］
無線通信リソースの前記確保された部分の前記サブセット以外のリソースを介して移動デバイスからの汎用データ通信をスケジュールすることをさらに備える［Ｃ１］に記載の方法。
［Ｃ７］
無線通信リソースの前記確保された部分の前記サブセットは、グローバル制御セグメント定義に従って割り当てられる［Ｃ１］に記載の方法。
［Ｃ８］
無線通信リソースの前記確保された部分の前記サブセットを介して制御データを送信することは、前記制御データを、前記サブセットを介してビーコン信号として送信することを含む［Ｃ１］に記載の方法。
［Ｃ９］
無線通信リソースの前記確保された部分の前記サブセットを介して制御データを送信することは、アクセスポイントの識別子の少なくとも一部分に基づいて選択された前記サブセットの中の位置で前記制御データを送信することを含む［Ｃ１］に記載の方法。
［Ｃ１０］
前記送信される制御データは、リソース割当て、ＡＣＫ／ＮＡＣＫ情報、またはインターフェース管理情報を含む［Ｃ１］に記載の方法。
［Ｃ１１］
レガシーネットワーク規格に少なくとも部分的に基づいて、データ通信のための無線通信リソースの一部分を定義し、
制御データを通信するために無線通信リソースの前記一部分のサブセットを確保し、さらに
前記サブセットを介して制御データを送信するように構成された少なくとも１つのプロセッサと、
前記少なくとも１つのプロセッサに結合されたメモリと、を備える無線通信装置。
［Ｃ１２］
前記レガシーネットワーク規格は、第３世代パートナーシッププロジェクト（３ＧＰＰ）ロングタームエボリューション（ＬＴＥ）規格と関係し、さらに前記確保されたサブセットは、少なくとも１つのサブフレーム内の少なくとも１つの確保されたリソースブロックを備える［Ｃ１１］に記載の無線通信装置。
［Ｃ１３］
前記少なくとも１つのプロセッサは、制御データを送信するために確保された前記無線通信リソースの異なる部分に少なくとも部分的に暗黙に基づいて、無線通信リソースの前記部分を定義する［Ｃ１１］に記載の無線通信装置。
［Ｃ１４］
前記少なくとも１つのプロセッサは、前記無線通信リソースの前記異なる部分を介してレガシー制御データを受信するようにさらに構成され、前記サブセットを介して制御データを送信することは、前記サブセットを介して前記レガシー制御データを送信することを含む［Ｃ１３］に記載の無線通信装置。
［Ｃ１５］
前記少なくとも１つのプロセッサは、無線通信装置と関係する基準信号を送信するために確保された前記無線通信リソースの別の異なる部分にさらに部分的に暗黙に基づいて、無線通信リソースの前記部分を定義する［Ｃ１３］に記載の無線通信装置。
［Ｃ１６］
レガシー無線ネットワークを介して新たな制御チャネルを定義することを円滑にする装置であって、
レガシーネットワーク規格によるデータ通信のために無線通信リソースの一部分をグループ化するための手段と、
制御データを通信するために無線通信リソースの前記確保された部分のサブセットを割り当てるための手段と、
リソースの前記サブセットを介して制御データを送信するための手段と、を備える装置。
［Ｃ１７］
前記レガシーネットワーク規格は、第３世代パートナーシッププロジェクト（３ＧＰＰ）ロングタームエボリューション（ＬＴＥ）規格と関係し、さらに前記割り当てられたサブセットは、少なくとも１つのサブフレーム内の少なくとも１つの確保されたリソースブロックを備える［Ｃ１６］に記載の装置。
［Ｃ１８］
グループ化するための前記手段は、制御データを通信するために確保されたリソースの異なる部分を特定することに従って、データ通信のための無線通信リソースの前記部分をグループ化する［Ｃ１６］に記載の装置。
［Ｃ１９］
前記装置はレガシー制御データを受信し、送信するための前記手段によって送信される前記制御データは、前記レガシー制御データに相当する［Ｃ１８］に記載の装置。
［Ｃ２０］
グループ化するための前記手段は、基準信号を送信するために確保されたリソースの異なる部分を特定することによりデータ通信のための無線通信リソースの前記部分をさらにグループ化する［Ｃ１８］に記載の装置。
［Ｃ２１］
グローバル制御セグメントを定義する前記サブセット以外のリソースを介してデータ通信をスケジュールするための手段をさらに備える［Ｃ１６］に記載の装置。
［Ｃ２２］
送信するための前記手段は、１つまたは複数のビーコン信号を使用して前記サブセットを介して前記制御データを送信する［Ｃ１６］に記載の装置。
［Ｃ２３］
送信するための前記手段は、サブフレーム内の複数のトーンを伴う再使用スキームを使用して前記サブセットを介して前記制御データを送信する［Ｃ１６］に記載の装置。
［Ｃ２４］
少なくとも１つのコンピュータに、レガシーネットワーク規格による汎用データ通信のために無線通信リソースの一部分を確保させるためのコードと、
前記少なくとも１つのコンピュータに、異種のネットワーク規格に従って制御データを通信するために無線通信リソースの前記部分のサブセットを割り当てさせるためのコードと、
前記少なくとも１つのコンピュータに、無線通信リソースの前記部分の前記サブセットを介して制御データを送信させるためのコードと、を備えるコンピュータ可読媒体を備えるコンピュータプログラム製品。
［Ｃ２５］
前記レガシーネットワーク規格は、第３世代パートナーシッププロジェクト（３ＧＰＰ）ロングタームエボリューション（ＬＴＥ）に相当し、さらに前記確保された部分は、少なくとも１つのサブフレーム内の少なくとも１つの確保されたリソースブロックを備える［Ｃ２４］に記載のコンピュータプログラム製品。
［Ｃ２６］
汎用データ通信のために無線通信リソースの前記部分を確保することは、前記レガシーネットワーク規格に従って制御データを通信するために前記無線通信リソースの異なる部分を確保することから示される［Ｃ２４］に記載のコンピュータプログラム製品。
［Ｃ２７］
前記コンピュータ可読媒体は、前記少なくとも１つのコンピュータに、前記無線通信リソースの前記異なる部分を介してレガシー制御データを受信させるためのコードをさらに備え、無線通信リソースの前記部分の前記サブセットを介して制御データを送信することは、前記サブセットを介して前記レガシー制御データを送信することを含む［Ｃ２６］に記載のコンピュータプログラム製品。
［Ｃ２８］
汎用データ通信のために無線通信リソースの前記部分を確保することは、前記レガシーネットワーク規格に従って基準信号を通信するために前記無線通信リソースの別の異なる部分を確保することからさらに示される［Ｃ２６］に記載のコンピュータプログラム製品。
［Ｃ２９］
レガシーネットワーク規格による汎用データ通信のために無線通信リソースの一部分を割り当てるレガシー規格構成要素と、
制御データを送信するために無線通信リソースの前記部分のサブセットを定義する新規制御データ構成要素と、
前記サブセットを介して制御データを送信する送信機構成要素と、を備える装置。
［Ｃ３０］
前記レガシーネットワーク規格は、第３世代パートナーシッププロジェクト（３ＧＰＰ）ロングタームエボリューション（ＬＴＥ）規格と関係し、さらに前記定義されたサブセットは、少なくとも１つのサブフレーム内の少なくとも１つの確保されたリソースブロックを備える［Ｃ２９］に記載の装置。
［Ｃ３１］
前記レガシー規格構成要素は、制御データを通信するために確保されたリソースの異なる部分を特定することに従って、無線通信リソースの前記部分をデータ通信のために割り当てる［Ｃ２９］に記載の装置。
［Ｃ３２］
前記装置はレガシー制御データを受信し、前記送信機構成要素によって送信される前記制御データは、前記レガシー制御データに相当する［Ｃ３１］に記載の装置。
［Ｃ３３］
レガシー規格構成要素は、基準信号を送信するために確保されたリソースの異なる部分を特定することに従って、無線通信リソースの前記部分をデータ通信のためにさらに割り当てる［Ｃ３１］に記載の装置。
［Ｃ３４］
グローバル制御セグメントを定義する前記サブセット以外のリソースを介してデータ通信をスケジュールするリソース割当て構成要素をさらに備える［Ｃ２９］に記載の装置。
［Ｃ３５］
前記送信機構成要素は、１つまたは複数のビーコン信号を使用して前記サブセットを介して前記制御データを送信する［Ｃ２９］に記載の装置。
［Ｃ３６］
無線通信ネットワークにおいて新たな制御チャネルを介して制御データを受信するための方法であって、
レガシーネットワーク規格の汎用データ通信リソース内で定義された制御データリソースのセットを介して制御データを受信すること、および
前記制御データを復号して、アクセスポイントと通信することを円滑にすることを備える方法。
［Ｃ３７］
前記レガシーネットワーク規格は、第３世代パートナーシッププロジェクト（３ＧＰＰ）ロングタームエボリューション（ＬＴＥ）規格と関係し、さらに前記定義された制御データリソースは、少なくとも１つのサブフレーム内の少なくとも１つの確保されたリソースブロックを備える［Ｃ３６］に記載の方法。
［Ｃ３８］
前記制御データを受信することは、前記制御データを備えるビーコン信号を受信することを含む［Ｃ３６］に記載の方法。
［Ｃ３９］
前記制御データを受信することは、前記アクセスポイントの識別子に従って選択された制御データリソースの前記セット内のリソースにおいて前記制御データを受信することを含む［Ｃ３６］に記載の方法。
［Ｃ４０］
レガシーネットワークにおける汎用データ通信に割り当てられた無線通信リソースの一部分を介して制御データリソースのセットを定義し、
前記制御データリソースを介してアクセスポイントから制御データを受信し、さらに
前記制御データを復号して、前記アクセスポイントからの汎用データリソース割当てを特定するように構成された少なくとも１つのプロセッサと、
前記少なくとも１つのプロセッサに結合されたメモリと、を備える無線通信装置。
［Ｃ４１］
前記レガシーネットワークは、第３世代パートナーシッププロジェクト（３ＧＰＰ）ロングタームエボリューション（ＬＴＥ）規格と関係し、無線通信リソースの前記部分は、少なくとも１つのサブフレーム内の少なくとも１つの確保されたリソースブロックを備える［Ｃ４０］に記載の無線通信装置。
［Ｃ４２］
前記少なくとも１つのプロセッサは、前記制御データを、前記アクセスポイントによって送信される１つまたは複数のビーコン信号として受信する［Ｃ４０］に記載の無線通信装置。
［Ｃ４３］
新たに定義された制御チャネルを介して制御データを受信することを円滑にする装置であって、
レガシーネットワークにおけるデータ通信のために確保された無線通信リソースの一部分から制御データリソースのセットを割り当てるための手段と、
制御データリソースの前記セットを介してアクセスポイントから制御データを受信するための手段と、を備える装置。
［Ｃ４４］
前記レガシーネットワークは、第３世代パートナーシッププロジェクト（３ＧＰＰ）ロングタームエボリューション（ＬＴＥ）規格と関係し、さらに無線通信リソースの前記部分は、少なくとも１つのサブフレーム内の少なくとも１つの確保されたリソースブロックを備える［Ｃ４３］に記載の装置。
［Ｃ４５］
受信するための前記手段は、前記制御データを１つまたは複数のビーコン信号として受信する［Ｃ４３］に記載の装置。
［Ｃ４６］
少なくとも１つのコンピュータに、レガシーネットワーク規格の汎用データ通信リソース内で定義された制御データリソースのセットを介して制御データを受信させるためのコードと、
前記少なくとも１つのコンピュータに、前記制御データを復号させて、アクセスポイントと通信することを円滑にさせるためのコードと、を備えるコンピュータ可読媒体を備えるコンピュータプログラム製品。
［Ｃ４７］
前記レガシーネットワーク規格は、第３世代パートナーシッププロジェクト（３ＧＰＰ）ロングタームエボリューション（ＬＴＥ）規格と関係し、さらに前記定義された制御データリソースは、少なくとも１つのサブフレーム内の少なくとも１つの確保されたリソースブロックを備える［Ｃ４６］に記載のコンピュータプログラム製品。
［Ｃ４８］
レガシーネットワークにおけるデータ通信のために確保された無線通信リソースの一部分から制御データリソースのセットを割り当てる新規システム規格構成要素と、
制御データリソースの前記セットを介してアクセスポイントから制御データを受信する受信機構成要素と、を備える装置。
［Ｃ４９］
前記レガシーネットワークは、第３世代パートナーシッププロジェクト（３ＧＰＰ）ロングタームエボリューション（ＬＴＥ）規格と関係し、さらに無線通信リソースの前記部分は、少なくとも１つのサブフレーム内の少なくとも１つの確保されたリソースブロックを備える［Ｃ４８］に記載の装置。
［Ｃ５０］
前記受信機構成要素は、前記制御データを１つまたは複数のビーコン信号として受信する［Ｃ４８］に記載の装置。
【図１】
0005474932.tif 000002
【図２】
0005474932.tif 000003
【図３】
0005474932.tif 000004
【図４】
0005474932.tif 000005
【図５】
0005474932.tif 000006
【図６】
0005474932.tif 000007
【図７】
0005474932.tif 000008
【図８】
0005474932.tif 000009
【図９】
0005474932.tif 000010
【図１０】
0005474932.tif 000011
【図１１】
0005474932.tif 000012
【図１２】
0005474932.tif 000013
【図１３】
0005474932.tif 000014
【図１４】
0005474932.tif 000015
【図１５】
0005474932.tif 000016
【図１６】
0005474932.tif 000017